(57)【要約】【課題】新鮮な印象を与え、意外性に富んだ難易度の高い立体多角形パズルを提供する。【解決手段】立体１、即ち１辺の長さがＬの正４面体、及び立体２、即ち１辺の長さがＬの正三角形２ａと２ｂ、底辺の長さがＬ×√２でその他の２辺の長さがＬの直角二等辺三角形２ｃと２ｄの４面に囲まれた立体、及び立体３、即ち１個の前記立体１と１個の前記立体２が互いの正三角形の面が重なり合うように結合した立体、及び立体４〜７、即ち１個の前記立体１と２個の前記立体２が互いの正三角形の面が重なり合うように結合した立体、及び立体８、即ち１辺の長さがＬの正８面体の内、含まれる前記立体１の総数が８個、かつ前記立体２の総数が１６個となる組合せを基本立体とし、これらを組み合わせて隙間無く並べることにより、１辺の長さがＬ×√２である立方体９を完成させる組み合わせ式立体パズル。【選択図】図１
2005168535.tif 000002
【特許請求の範囲】
【請求項１】
立体１、即ち１辺の長さがＬの正４面体、及び立体２、即ち１辺の長さがＬの正三角形２ａと２ｂ、底辺の長さがＬ×√２でその他の２辺の長さがＬの直角二等辺三角形２ｃと２ｄの４面に囲まれた立体、及び立体３、即ち１個の前記立体１と１個の前記立体２が互いの正三角形の面が重なり合うように結合した立体、及び立体４、即ち１個の前記立体１と２個の前記立体２が互いの正三角形の面が重なり合い、かつ前記立体２の直角二等辺三角形の底辺２ｅ同士が直角となるように結合した立体、及び立体５、即ち１個の前記立体１と２個の前記立体２が互いの正三角形の面が重なり合い、かつ前記立体２の直角二等辺三角形の底辺２ｅ同士がねじれの２直線となるように結合した立体、及び立体６、即ち前記立体５の鏡像なす立体、及び立体７、即ち１個の前記立体１と２個の前記立体２が互いの正三角形の面が重なり合い、かつ前記立体２の直角二等辺三角形の底辺２ｅ同士が平行となるように結合した立体、及び立体８、即ち１辺の長さがＬの正８面体の内、含まれる前記立体１の総数が８個、かつ前記立体２総数が１６個となる組合せを基本立体とし、これらを組み合わせて隙間無く並べることにより、１辺の長さがＬ×√２である立方体９を完成させる組み合わせ式立体パズル。
【発明の詳細な説明】
【技術分野】
【０００１】
本発明は組み合わせ式立体パズルに関するものである。
【背景技術】
【０００２】
従来から複数の立体を隙間無く並べることにより立方体を作るパズルが一般に知られているが、その多くは基となる立体が直方体や立方体、あるいはそれらを組み合わせたもので、ひとつの面が四角形を基本としているものである。（特許文献１〜６）そのため立体の外周や分割する線が全て平行線や、これに直行する線で構成されており、ありふれた印象を与え、新鮮味に欠けるものとなっていた。また三角形を基としているものも上下左右が対称であり、立体同士の接合面が１対１の単純なものであった。（特許文献７）
【０００３】
【特許文献１】特開２００２−２２４４２８号公報
【特許文献２】特開２０００−１１６９３４号公報
【特許文献３】特開昭６１−１３７５８２号公報
【特許文献４】特開昭５６−２７２７３号公報
【特許文献５】特開昭５５−１６６１７８号公報
【特許文献６】登録実用新案第１９１０９８２号公報
【特許文献７】登録実用新案第３０４６０６８号公報
【発明の開示】
【発明が解決しようとする課題】
【０００４】
本発明は完成立体が立方体でありながら、基本となる立体が４面体、すなわち三角形に囲まれた立体、あるいはこれらを結合した立体のみで構成されており、これらを組み合わせて立方体を完成させることにより、今までにない新鮮な印象を与え、意外性に富んだ難易度の高いパズルを提供することを目的とする。
【課題を解決するための手段】
【０００５】
この問題を解決するため本発明は、図１に示すように、立体１、即ち１辺の長さがＬの正４面体、及び立体２、即ち１辺の長さがＬの正三角形２ａと２ｂ、底辺の長さがＬ×√２でその他の２辺の長さがＬの直角二等辺三角形２ｃと２ｄの４面に囲まれた立体、及び立体３、即ち１個の前記立体１と１個の前記立体２が互いの正三角形の面が重なり合うように結合した立体、及び立体４、即ち１個の前記立体１と２個の前記立体２が互いの正三角形の面が重なり合い、かつ前記立体２の直角二等辺三角形の底辺２ｅ同士が直角となるように結合した立体、及び立体５、即ち１個の前記立体１と２個の前記立体２が互いの正三角形の面が重なり合い、かつ前記立体２の直角二等辺三角形の底辺２ｅ同士がねじれの２直線となるように結合した立体、及び立体６、即ち前記立体５の鏡像なす立体、及び立体７、即ち１個の前記立体１と２個の前記立体２が互いの正三角形の面が重なり合い、かつ前記立体２の直角二等辺三角形の底辺２ｅ同士が平行となるように結合した立体、及び立体８、即ち１辺の長さがＬの正８面体の内、含まれる前記立体１の総数が８個、かつ前記立体２総数が１６個となる組合せを基本立体とし、これらを組み合わせて隙間無く並べることにより、１辺の長さがＬ×√２である立方体９を完成させる組み合わせ式立体パズルを提供するものである。
【０００６】
１辺の長さがＬ×√２の立方体において、これを囲むすべての正方形面の対角線１２本の内、正三角形をなす３本が含まれる平面で立方体を分割すると、三角錐とその他の部分に分割することができる。この操作を組合せ可能な全ての対角線で繰り返し行うと、中央部の正８面体とこれを囲む８個の立体１、即ち１辺の長さがＬの正４面体、及び１２個の立体２、即ち１辺の長さがＬの正三角形２ａと２ｂ、底辺の長さがＬ×√２でその他の２辺の長さがＬの直角二等辺三角形２ｃと２ｄの４面に囲まれた立体、とに分割することができる。さらに中央部の正８面体を、これを囲む１２本の辺の内、正方形をなす４本が含まれる平面にて分割すると、２つの四角錐に分割することができる。この操作を２度繰り返すと、４つの立体２に分割することができる。以上の操作により、基本立体の最小単位、即ち８個の立体１Ａ〜１Ｈと１６個の立体２Ａ〜２Ｐに分割することができる。これらの立体を分割前にあった位置より方向を変えずに互いに距離を離した状態を図３に示す。
【０００７】
図３の立体１Ａに注目すると、４個の立体２Ａ，２Ｂ，２Ｃ，２Ｍに囲まれおり、互いに正三角形の面でのみ隣接していることが分かる。この位置関係を保ったまま立体１Ａに対し、立体２のいずれか１個、あるいは２個を結合することにより、新たな基本立体とすることができる。これらの結合を立体１Ｂ〜１Ｈに対しても行うことにより、それぞれの基本立体が配置可能な位置や方向が適度に制限されるため、難易度の高い組合せ立体パズルとすることができる。
【０００８】
次に、結合により得られる立体について具体的に説明する。
立体２Ａ，２Ｂ，２Ｃ，２Ｍの内いずれか1個と立体１Ａとを結合したものは、全て同一形状で立体３（図１参照）となる。立体２Ａ，２Ｂ，２Ｃの内いずれか２個と立体１Ａとを結合したものは、全て同一形状で、立体２の二等辺三角形の底辺２ｅ同士は直角をなしており、立体４（図１参照）となる。立体２Ｂ，２Ｍと立体１Ａとを結合すると立体２の二等辺三角形の底辺２ｅ同士はねじれの２直線をなしており、立体５（図１参照）となる。立体２Ａ，２Ｍと立体１Ａとを結合すると立体５の鏡像をなしており、立体６（図１参照）となる。立体２Ｃ，２Ｍと立体１Ａとを結合すると立体２の二等辺三角形の底辺２ｅ同士は平行をなしており、立体７（図１参照）となる。これらの結合を立体１Ｂ〜１Ｈにも同様に行い立体３〜７とすることができる。また、中央部に位置する立体２Ｍ〜２Ｐのみ、立体２同士が隣接しており、これら４個を結合すると１辺の長さがＬの正８面体、即ち基本立体８（図１参照）となる。
立体１〜８の内、含まれる立体１の総数が８個、かつ立体２総数が１６個となる組合せを基本立体とし、これらを組み合わせて互いに隙間無く並べることにより、立方体９（図２参照）を完成させる組み合わせ式立体パズルとすることができる。
【発明の効果】
【０００９】
本発明により今までにない新鮮な印象を与え、意外性に富んだ難易度の高いパズルを提供することができる。
【発明を実施するための最良の形態】
【００１０】
以下、本発明の実施の形態について説明する。
【実施例１】
【００１１】
図４は２個の立体２Ａ，２Ｂ、及び２個の立体３Ａ，３Ｂ、及び６個の立体４Ａ〜４Ｆ、とを基本立体とする組合せの配置例を示した図である。各立体の方向を変えずに互いの距離を離して示してある。
【実施例２】
【００１２】
図５は２個の立体１Ａ，１Ｂ、及び６個の立体４Ａ〜４Ｆ、及び１個の立体８Ａ、とを基本立体とする組合せの配置例を示した図である。各立体の方向を変えずに互いの距離を離して示してある。
【実施例３】
【００１３】
図６は４個の立体４Ａ〜４Ｄ、及び３個の立体５Ａ〜５Ｃ、及び１個の立体６Ａ、とを基本立体とする組合せの配置例を示した図である。各立体の方向を変えずに互いの距離を離して示してある。
【００１４】
なお、図示しないが立体を配置する補助具として立方体９を囲む透明な上部開口の立方体ケースを用いてもよい。あるいは各構成立体の表面にマグネットや吸着材を利用した一時的に結合・分離が可能な構造としてもよい。
本発明にあっては、パズルを構成する各立体を射型による半透明タイプとして成型すると、全体の美観が向上するが、使用する材質は金属、木、プラスチックなど特に限定されるものではない。
【図面の簡単な説明】
【００１５】
【図１】本発明の構成における各立体の斜視図
【図２】本発明の組合せ完成立体の斜視図
【図３】本発明の立体の完成に必要な最小単位の斜視図
【図４】実施例１の立体の斜視図
【図５】実施例２の立体の斜視図
【図６】実施例３の立体の斜視図
【符号の説明】
【００１６】
１，２，３，４，５，６，７，８  立体
１Ａ〜１Ｈ，２Ａ〜２Ｐ，３Ａ〜３Ｂ，４Ａ〜４Ｆ，５Ａ〜５Ｃ，６Ａ，８Ａ  立体
９  完成立体
２ａ，２ｂ，２ｃ，２ｄ  立体の表面
２e  立体の1辺
【図１】
2005168535.tif 000003
【図２】
2005168535.tif 000004
【図３】
2005168535.tif 000005
【図４】
2005168535.tif 000006
【図５】
2005168535.tif 000007
【図６】
2005168535.tif 000008